(57)【要約】【課題】携帯品を全て収納し、かつ着用すると両手が空き、安全に心置きなく神輿を担ぐことができ、携帯品の紛失を防止できるバッグ（内着用神輿バッグ）を提供する。【解決手段】長方形状の布地を長手方向に２つ折りし袋縫いして少なくとも両端部近傍の２つのポケットを含む複数のポケットを形成し、前記両端部ポケットの隅部に嵌合部材を取り付け、前記嵌合部材の嵌合によりループ状にして使用される神輿用バッグ。【選択図】図１
2015116283.tif 000002
【特許請求の範囲】
【請求項１】
長方形状の布地を長手方向に２つ折りし袋縫いして少なくとも両端部近傍の２つのポケットを含む複数のポケットを形成し、前記両端部ポケットの隅部に嵌合部材を取り付け、前記嵌合部材の嵌合によりループ状にして使用される神輿用バッグ。
【請求項２】
市販の手拭い（幅約３５ｃｍ、長さ約９０ｃｍ）を長さ約１２０ｃｍとなるように縫い合わせ、これを長手方向に２つ折りし袋縫いして、少なくとも両端部近傍の２つのポケットを含む複数のポケットを形成し、前記両端部ポケットの隅部に嵌合部材を取り付け、前記嵌合部材の嵌合によりループ状にして使用される神輿用バッグ。
【請求項３】
前記複数ポケットの開口部にファスナー及び／またはドット釦を設けてなる請求項１または２に記載の神輿用バッグ。
【請求項４】
前記複数ポケットの少なくとも１つが防水ポケットである請求項１〜３のいずれかに記載の神輿用バッグ。
【請求項５】
前記防水ポケットがポケット部内面に防水性のシートを縫い合わせたものである請求項４に記載の神輿用バッグ。
【請求項６】
前記複数ポケットの少なくとも１つが、傾斜した角度に形成されたポケットである請求項１〜５のいずれかに記載の神輿用バッグ。
【請求項７】
長手方向中央部のポケットが、冷却ジェルシート収納用の、開口の大きさ（長さ）が幅広のポケットである請求項１〜６のいずれかに記載の神輿用バッグ。
【請求項８】
幅が約９ｃｍ〜約１５ｃｍである請求項１〜７のいずれかに記載の神輿用バッグ。
【請求項９】
一端部の幅が約１５ｃｍであり、幅約９ｃｍの他端部に向かって方向にテーパー状に形成されている請求項１〜８のいずれかに記載の神輿用バッグ。
【発明の詳細な説明】
【技術分野】
【０００１】
本発明は内着用神輿バッグに関する。さらに詳しく言えば、神輿かつぎに参加する際に携帯品を全て半纏の下に収納して、粋な姿で安全に心置きなく手放しで神輿を担ぐことができる神輿用のバッグに関する。
【背景技術】
【０００２】
近年、日本の庶民伝統文化である神輿に関心が高まり、若者の参加率も増加傾向にある。特に東日本大震災以来、人と人とのつながりが見直され、絆を求めての参加者増加は著しい。
以前は神輿衣装に身体一つでの参加することが当たり前であったが、最近では生活様式も変わり、持ち物（携帯品）が増えて来た。神輿を担ぎに行くときの主な携帯品としては、小銭、携帯電話、デジタルカメラ、喫煙者ではタバコ、ライター、携帯灰皿等々が挙げられ、飲酒の機会が多い祭りでは移動手段である電車やバスなどの乗車ＩＣカード、女性ではこれらに簡単な化粧品（道具）が加わる。
【０００３】
以上のものを携帯するために、ショルダーバッグや従来の巾着袋、合切袋を持って参加することになるが、ショルダーバッグは神輿を担ぐ際に片手が塞がってしまう。そこで腰帯などに結わいて下げると、担ぐ際に邪魔だったり、外れて紛失につながる。
また、携帯電話などは神輿用下着（ダボシャツあるいは鯉袖シャツ）の胸ポケットに入れておくが、かがんだ際に滑り落ちてしまうといった問題があった。
そこで、上記した携帯品が全て収納され、かつ着用すると両手が空き、安全に心置きなく神輿を担ぐことができ、携帯品の紛失防止になる神輿用バッグが求められている。
【発明の概要】
【発明が解決しようとする課題】
【０００４】
したがって、本発明の目的は、上記した携帯品を全て収納し、かつ着用すると両手が空き、安全に心置きなく神輿を担ぐことができ、携帯品の紛失を防止できるバッグ（内着用神輿バッグ）を提供することにある。
【課題を解決するための手段】
【０００５】
本発明者は、市販の手拭い（幅約３５ｃｍ、長さ約９０ｃｍ）を利用し、これを長さ約１２０ｃｍとなる長方形状に縫い合わせた布地の裏面を表にして長手方向で２つ折りにして両端部を縫い合わせ（袋縫いし）、少なくとも両端部近傍に２つのポケットを形成し、その両端ポケットの隅部に嵌合部材を取り付け、前記嵌合部材の嵌合によりループ（輪あるいは環）状にすることにより、たすき掛けや首に掛けるなど多様な態様で使用できる、神輿用に適したバッグを考案し本発明を完成した。なお、手拭いは手軽に入手できる布地ではあるが、これをたすき掛けや首に掛けるのに適した長さ（約１２０ｃｍ）とするためには2枚を所定の長さに縫い合わせることが必要である。しかし、本発明の神輿用バッグの原料布地は、手拭いに限られるものでなく、適当な幅を有する長尺の布地を所定の長さに裁断した一体ものの布地を利用できるのは勿論のことである。
【０００６】
すなわち、本発明は下記［１］〜［９］の神輿用バッグに関する。
［１］  長方形状の布地を長手方向に２つ折りし袋縫いして少なくとも両端部近傍の２つのポケットを含む複数のポケットを形成し、前記両端部ポケットの隅部に嵌合部材を取り付け、前記嵌合部材の嵌合によりループ状にして使用される神輿用バッグ。
［２］  市販の手拭い（幅約３５ｃｍ、長さ約９０ｃｍ）を長さ約１２０ｃｍとなるように縫い合わせ、これを袋縫いして、少なくとも両端部近傍の２つのポケットを含む複数のポケットを形成し、前記両端部ポケットの隅部に嵌合部材を取り付け、前記嵌合部材の嵌合によりループ状にして使用される神輿用バッグ。
［３］  前記複数ポケットの開口部にファスナー及び／またはドット釦やを設けてなる前項１または２に記載の神輿用バッグ。
［４］  前記複数ポケットの少なくとも１つが防水ポケットである前項１〜３のいずれかに記載の神輿用バッグ。
［５］  前記防水ポケットがポケット部内面に防水性のシートを縫い合わせたものである前項４に記載の神輿用バッグ。
［６］  前記複数ポケットの少なくとも１つが、傾斜した角度に形成されたポケットである前項１〜５のいずれかに記載の神輿用バッグ。
［７］  長手方向中央部のポケットが、冷却ジェルシート収納用の、開口の大きさ（長さ）が幅広のポケットである前項１〜６のいずれかに記載の神輿用バッグ。
［８］  幅が約９ｃｍ〜約１５ｃｍである前項１〜７のいずれかに記載の神輿用バッグ。
［９］  一端部の幅が約１５ｃｍであり、幅約９ｃｍの他端部に向かって方向にテーパー状に形成されている前項１〜８のいずれかに記載の神輿用バッグ。
【発明の効果】
【０００７】
本発明の神輿用バッグによれば、
(1)携帯品を区分されたポケットに分散して入れて、肩から掛けるので邪魔にならない。
(2)半纏の中に着用するので前後の担ぎ手の手にかかったり邪魔にならない。
(3)区分されたポケットに携行品を使用頻度に応じて収納するので、出したいときに出したいものが取り出せる。
(4)肩から掛け、かつ区分して収納するので、ずれる心配がない。
(5)このバッグはポケットを設置するために幅が広く、切れたり外れたりすることはない。
(6)ポケットは簡易防水加工がほどこしてあり、濡れたり湿気たりすることはない。
(7)ポケットにはファスナー、釦、が設置してあり、落ちることがない。
(8)区分されたポケットに分散して携行品を収納するために一部が膨らまず、半纏の中に着用するために目立たずにすっきっして神輿の担ぎ手が気にする「粋」さが損なわれない。また、半纏の上に帯をしてもよい長さに仕上げることで、帯の位置を邪魔することがない。
【図面の簡単な説明】
【０００８】
【図１】本発明の神輿用バッグの一例の構造と収納箇所（ポケット）を示す平面図である。
【図２】（A）〜（E）は本発明の神輿用バッグの利用態様を示す。
【発明を実施するための形態】
【０００９】
以下に、本発明の神輿用バッグについて図面を参照しつつ詳しく説明する。
図１は神輿用バッグの一例の構造（収納ポケット）を示す平面図である。
本例の神輿用バッグでは、長方形状の布地を長手方向に２つ折りし袋縫いして両端部近傍の２つのポケット（１，４）、ポケット（１）に隣接する長手軸に対し傾斜した角度に形成されたポケット（２）、及びポケット（２）とポケット（４）の間の幅広のポケット（３）の４個のポケットが形成されている。各ポケットの開口部はファスナー及び／またはドット釦を設けることが好ましい。図１の例では、ポケット（１）にファスナー（５）、ポケット（２）及びポケット（４）にドット釦（７）を設けているが、中央部の幅広のポケット（３）は、例えば夏季の熱中病対策として熱さましシートなどを収納するように形成されたものであり、、長尺で薄いシートであれば安定して収納されるのでファスナーあるいは釦は取り付けなくてもよい。
【００１０】
両端側のポケット（１）及び（４）のポケット開口側の隅部には、相互を嵌合させることにより長尺のバッグがループ（輪あるいは環）状となるドット釦オス（８ａ）、同メス（８ｂ）が取り付けられている。
【００１１】
図１ではポケット数が４個の例を示したが、ポケット数は４個に限定されるものではなく、両端部近傍の２つのみでもよいし、５以上としてよい。
【００１２】
図１のポケット（２）は長手方向に対して傾斜した角度に形成された斜めカットポケットとしている。斜めカットとすることにより、例えばこのポケットに収納された携帯電話（スマートフォン）などが、屈んだ場合にも落ちることがなくなる。
【００１３】
本発明のバッグの原料布地としては、容易に入手できる手拭いが適している。手拭いは、祭りに適した柄や模様を施した意匠を有し、汗を吸収する材料（木綿地等）製のものが多量に販売されいる。標準的な手拭いは大旨幅が約３５ｃｍ、長さが約９０ｃｍである。長さについては１枚ではループ（輪あるいは環）状にして、たすき掛けする場合、長さがたりないので、２枚を縫い合わせ、適当な長さ（例えば、約１２０ｃｍ）とし、これを長手方向に２つ折りし袋縫いして（裏面を表にして長手方法に２つ折りして両端部を縫い合わせて、両端部近傍の２つのポケットを含む複数のポケットを形成し、両端部ポケットの隅部に嵌合部材を取り付ける。
【００１４】
複数設けるポケットの少なくとも１つを防水ポケットとすることが好ましい。防水ポケットは、例えばポケット部の内面に防水性のシートを縫い合わせて形成することが出来る。また、バッグ全体について、防水シートや撥水加工した材料を使用することもできる。
【００１５】
また、バッグは同一の幅でなくてもよく、例えば、一端部から他端部に向かってテーパー状に形成することができる。具体的には、一端部の幅を約１５ｃｍとし、幅約９ｃｍの他端部に向かって方向にテーパー状に形成して、細い部分がタスキ掛けした時に肩に当るよう身体のカーブにフィットしやすくできる。
【００１６】
ポケットに収納する品物は任意である。上記の通り傾斜ポケットは携帯電話やデジカメ用に適し、中間の幅広のポケット（３）は移動時の腰帯や夏季の熱中病対策の冷却シート用に適する。ポケット（１）及び（４）は、例えば、乗車ＩＣカードや小銭入れ用、タバコ、ライター、携帯灰皿、デジカメ、化粧品、ポケットティシュ等を収納することができる。
【００１７】
本発明の内着用バッグは、図２（A）〜（E）に示すような態様で下着の上で半纏の下に着用することができる。
すなわち、例えば、ループ状にしてタスキ掛けする（Ａ）、首に掛ける（Ｂ）、ループ状にして肩に掛ける（Ｃ）、タスキにして背中に背負う（Ｄ）、縛って巾着風にして手に持つ（Ｅ）等が挙げられるが、これらに限定されるものではない。
【産業上の利用可能性】
【００１８】
以上説明した本発明の神輿用バッグによれば、神輿を担ぐなど、祭りに参加する際の携帯品を全て収納することができ、かつ着用すると両手が空き、安全に心置きなく神輿を担ぐことができ、携帯品の紛失を防止できる。
【符号の説明】
【００１９】
１〜４  ポケット
５  ファスナー
６  ファスナー引き手
７  ドット釦
８ａ  ドット釦（オス）
８ｂ  ドット釦（メス）
【図１】
2015116283.tif 000003
【図２】
2015116283.tif 000004